(57)【要約】【課題】互いに異なる金属又は合金により形成された管同士を強固に接合することができる接合構造等を提供する。【解決手段】第１の金属又は合金からなる針管６３と、第１の金属又は合金と異なる第２の金属又は合金からなる針６２と、針管６３及び針６２が挿通可能な通路６６ａが内部に設けられた筒状をなす連結部材６６であって、側面に該連結部材６６の外部から通路６６ａまで貫通する貫通孔６６ｂが設けられた連結部材６６と、通路６６ａにおいて針管６３及び針６２の端面同士を当接させた状態で貫通孔６６ｂから注入され、針管６３及び針６２並びに連結部材６６を接合するろう材６７とを備え、第２の金属又は合金は、ろう材６７を用いたろう接に際して第１の金属又は合金よりも酸化し易く、針管６３と針６２との当接位置が、針管６３及び針６２が伸びる方向に沿って、貫通孔６６ｂよりも針６２側に位置している。【選択図】図４
2015228987.tif 000002
【特許請求の範囲】
【請求項１】
第１の金属又は合金からなる第１の管と、
前記第１の金属又は合金と異なる第２の金属又は合金からなる第２の管と、
前記第１及び第２の管が挿通可能な通路が内部に設けられた筒状をなす連結部材であって、側面に該連結部材の外部から前記通路まで貫通する開口が設けられた連結部材と、
前記通路において前記第１及び第２の管の端面同士を当接させた状態で前記開口から注入され、前記第１及び第２の管並びに前記連結部材をろう接するろう材と、
を備え、
前記第２の金属又は合金は、前記ろう材を用いたろう接に際して前記第１の金属又は合金よりも酸化し易く、
前記第１の管と前記第２の管との当接位置が、前記第１及び第２の管が伸びる方向に沿って、前記開口よりも前記第２の管側に位置していることを特徴とする接合構造。
【請求項２】
前記第１の管と前記第２の管とは、筒状をなす前記連結部材の高さ方向の中心部において当接していることを特徴とする請求項１に記載の接合構造。
【請求項３】
前記開口は、筒状をなす前記連結部材の高さ方向と直交する同一の面の周上に複数設けられていることを特徴とする請求項１又は２に記載の接合構造。
【請求項４】
前記開口の開口端は、円形状、楕円形状、長穴形状、又は多角形状をなすことを特徴とする請求項１〜３のいずれか１項に記載の接合構造。
【請求項５】
前記開口は、前記連結部材の側面の一部を切り欠くことにより形成されていることを特徴とする請求項１又は２に記載の接合構造。
【請求項６】
前記第２の金属又は合金は超弾性合金からなることを特徴とする請求項１〜５のいずれか１項に記載の接合構造。
【請求項７】
前記第１の金属又は合金はステンレス鋼であり、
前記第２の金属又は合金はニッケルチタン合金である、
ことを特徴とする請求項６に記載の接合構造。
【請求項８】
請求項１〜７のいずれか１項に記載の接合構造を備える生検針であって、
前記第２の管の先端部が針状をなすことを特徴とする生検針。
【発明の詳細な説明】
【技術分野】
【０００１】
本発明は、種類が異なる金属又は合金からなる管同士を接合する接合構造、及び該接合構造が適用された生検針に関する。
【背景技術】
【０００２】
生体内の細胞や組織を採取するための処置具として、生検針が知られている。生検針は、中空空間を有する筒状をなし、先端部を生体に穿刺して細胞や組織を採取する。また、生体の管腔内を観察する内視鏡システムにおいて処置具として用いられる生検針も知られている。このような生検針は、内視鏡の挿入部に設けられた処置具チャネルを介して管腔内に挿入され、壁面の細胞や組織を採取する。
【０００３】
内視鏡システムにおいて用いられる生検針は、略線状をなし、先端部が生体を穿刺可能に形成された管状をなす針と、該針から延伸する針管と、針及び針管を進退自在に挿通させる管状部材とを有する。このうち、針及び針管は、従来、ステンレス鋼（ＳＵＳ）等により一体的に形成されていた。
【０００４】
これに対し、近年では、針がニッケルチタン（ＮｉＴｉ）合金により形成された生検針も用いられるようになっている。ニッケルチタン合金は非常に高い弾性機能（超弾性機能と呼ばれる）を有しており、外力に応じて柔軟に変形すると共に、該外力がなくなると、ほぼ完全に復元する。そのため、ニッケルチタン合金により針を形成することにより、複雑に湾曲した経路に対しても針を容易に進退させることができる。
【０００５】
針と針管とを異なる材料によって形成する場合、例えばステンレス鋼（ＳＵＳ）からなるスリーブ状の連結部材に両者を挿入して先端面同士を当接させ、針、針管、及び連結部材をろう材により接合する、或いは接着剤を用いて接合する技術が知られている（例えば特許文献１参照）。
【先行技術文献】
【特許文献】
【０００６】
【特許文献１】特表２００８−５２３９０９号公報
【発明の概要】
【発明が解決しようとする課題】
【０００７】
しかしながら、ニッケルチタン合金は比較的酸化し易い合金であるため、ニッケルチタン合金からなる針をろう接しようとすると、該針の表面が加熱により容易に酸化してしまう。それにより、ろう材の濡れ性が低下してしまうため、このような針をろう材により針管及び連結部材と強固に接合することは非常に困難である。
【０００８】
また、接着剤を用いる場合、接合強度がろう接に比べて低くなるため、生検針が湾曲した際の曲げ応力により接着剤が剥離し、針管と針管との間に隙間が生じて気密性が維持できなくなるおそれがある。
【０００９】
本発明は、上記に鑑みてなされたものであり、互いに異なる金属又は合金により形成された管同士を強固に接合することができる接合構造、及びこのような接合構造により針と針管とが接合された生検針を提供することを目的とする。
【課題を解決するための手段】
【００１０】
上述した課題を解決し、目的を達成するために、本発明に係る接合構造は、第１の金属又は合金からなる第１の管と、前記第１の金属又は合金と異なる第２の金属又は合金からなる第２の管と、前記第１及び第２の管が挿通可能な通路が内部に設けられた筒状をなす連結部材であって、側面に該連結部材の外部から前記通路まで貫通する開口が設けられた連結部材と、前記通路において前記第１及び第２の管の端面同士を当接させた状態で前記開口から注入され、前記第１及び第２の管並びに前記連結部材をろう接するろう材と、を備え、前記第２の金属又は合金は、前記ろう材を用いたろう接に際して前記第１の金属又は合金よりも酸化し易く、前記第１の管と前記第２の管との当接位置が、前記第１及び第２の管が伸びる方向に沿って、前記開口よりも前記第２の管側に位置していることを特徴とする。
【００１１】
上記接合構造において、前記第１の管と前記第２の管とは、筒状をなす前記連結部材の高さ方向の中心部において当接していることを特徴とする。
【００１２】
上記接合構造において、前記開口は、筒状をなす前記連結部材の高さ方向と直交する同一の面の周上に複数設けられていることを特徴とする。
【００１３】
上記接合構造において、前記開口の開口端は、円形状、楕円形状、長穴形状、又は多角形状をなすことを特徴とする。
【００１４】
上記接合構造において、前記開口は、前記連結部材の側面の一部を切り欠くことにより形成されていることを特徴とする。
【００１５】
上記接合構造において、前記第２の金属又は合金は超弾性合金からなることを特徴とする。
【００１６】
上記接合構造において、前記第１の金属又は合金はステンレス鋼であり、前記第２の金属又は合金はニッケルチタン合金である、ことを特徴とする。
【００１７】
本発明に係る生検針は、前記接合構造を備える生検針であって、前記第２の管の先端部が針状をなすことを特徴とする。
【発明の効果】
【００１８】
本発明によれば、第１の管と第２の管とを、該第１及び第２の管が伸びる方向に沿って、連結部材に設けられた開口よりも第２の管側において当接させるので、溶融したろう材を開口から注入する際であっても、加熱による第２の管の酸化を抑制し、第１及び第２の管並びに連結部材とをろう材によって強固に接合することができる。従って、第１及び第２の管の接合部に曲げ応力が印加された場合であっても、両者間における接合強度を維持し気密性を確保することが可能となる。
【図面の簡単な説明】
【００１９】
【図１】図１は、本発明の実施の形態に係る内視鏡システムの概略構成を示す図である。
【図２】図２は、図１に示す処置具の一例である生検針の概略構成を説明する模式図である。
【図３】図３は、図２に示す生検針の先端部近傍を示す部分断面図である。
【図４】図４は、本発明の実施の形態に係る接合構造を示す断面図である。
【図５】図５は、図４に示す連結部材の外観を示す斜視図である。
【図６】図６は、本発明の実施の形態に係る接合方法を説明するための断面図である。
【図７】図７は、針と針管との当接位置を貫通孔よりも針側に配置する理由を説明するための参考図である。
【図８】図８は、本発明の実施の形態の変形例１における連結部材の外観を示す斜視図である。
【図９】図９は、本発明の実施の形態の変形例１における連結部材の外観を示す斜視図である。
【図１０】図１０は、本発明の実施の形態の変形例２における連結部材の外観を示す斜視図である。
【図１１】図１１は、本発明の実施の形態の変形例３における連結部材の外観を示す斜視図である。
【発明を実施するための形態】
【００２０】
以下に、本発明の実施の形態に係る接合構造及び生検針について、図面を参照しながら説明する。なお、これらの実施の形態により本発明が限定されるものではない。以下の実施の形態においては、患者等の被検体の管腔内の画像を撮像して表示する医療用の内視鏡システムにおいて用いられる処置具の一例として生検針を挙げて説明するが、この実施の形態により本発明が限定されるものではない。また、図面の記載において、同一部分には同一の符号を付している。図面は、模式的なものであり、各部材の厚みと幅との関係、各部材の比率等は、現実と異なることに留意する必要がある。図面の相互間においても、互いの寸法や比率が異なる部分が含まれている。
【００２１】
（実施の形態）
図１は、本発明の実施の形態に係る内視鏡システム１の概略構成を示す図である。図１に示すように、内視鏡システム１は、被検体の管腔内に先端部を挿入することによって被検体の体内を撮像した画像を生成する内視鏡２と、内視鏡２が生成した画像に所定の画像処理を施すとともに、内視鏡システム１全体の動作を統括的に制御する制御装置３と、内視鏡２の先端から出射する照明光を発生する光源装置４と、制御装置３が画像処理を施した体内画像を表示する表示装置５と、エンドエフェクタを有する機能部材が先端に設けられ、内視鏡２に挿通されて先端部２４の先端から表出する処置具の一例としての生検針６と、を備える。
【００２２】
内視鏡２は、可撓性を有する細長形状をなす挿入部２１と、挿入部２１の基端側に接続され、各種の操作信号の入力を受け付ける操作部２２と、操作部２２から挿入部２１が延びる方向と異なる方向に延び、制御装置３及び光源装置４と接続する各種ケーブルを内蔵するユニバーサルコード２３と、を備える。
【００２３】
挿入部２１は、撮像素子を内蔵した先端部２４と、複数の湾曲駒によって構成された湾曲自在な湾曲部２５と、湾曲部２５の基端側に接続され、可撓性を有する長尺状の可撓針管２６と、を有する。
【００２４】
撮像素子は、外部からの光を受光して電気信号に光電変換して所定の信号処理を施す。撮像素子は、例えばＣＣＤ（Charge  Coupled  Device）イメージセンサやＣＭＯＳ（Complementary  Metal-Oxide  Semiconductor）イメージセンサを用いて実現される。
【００２５】
操作部２２と先端部２４との間には、制御装置３との間で電気信号の送受信を行う複数の信号線が束ねられた集合ケーブルが接続されている。複数の信号線には、撮像素子が出力した映像信号を制御装置３へ伝送する信号線及び制御装置３が出力する制御信号を撮像素子へ伝送する信号線等が含まれる。
【００２６】
操作部２２は、湾曲部２５を上下方向及び左右方向に湾曲させる湾曲ノブ２２１と、生検針６の他、生体鉗子、レーザメス、及び検査プローブ等の処置具を挿入する処置具挿入部２２２と、制御装置３、光源装置４に加えて、送気手段、送水手段、送ガス手段等の周辺機器の操作指示信号を入力する操作入力部である複数のスイッチ２２３と、を有する。
【００２７】
ユニバーサルコード２３は、ライトガイド及び集合ケーブルを少なくとも内蔵している。また、ユニバーサルコード２３の操作部２２に連なる側と異なる側の端部には、光源装置４に着脱自在なコネクタ部２７と、コイル状をなすコイルケーブル２７０を介してコネクタ部２７と電気的に接続され、制御装置３と着脱自在な電気コネクタ部２８と、が設けられている。
【００２８】
制御装置３は、先端部２４から出力された画像信号をもとに、表示装置５が表示する体内画像を生成する。制御装置３は、例えばホワイトバランス（ＷＢ）調整処理、ゲイン調整処理、γ補正処理、Ｄ／Ａ変換処理、フォーマット変更処理などを行う。
【００２９】
光源装置４は、例えば、光源、回転フィルタ、及び光源制御部を備える。光源は、白色ＬＥＤ（Light  Emitting  Diode）又はキセノンランプ等を用いて構成され、光源制御部の制御のもと、白色光を発生する。光源が発生した光は、ライトガイドを経由して先端部２４の先端から照射される。
【００３０】
表示装置５は、映像ケーブルを介して制御装置３が生成した体内画像を制御装置３から受信して表示する機能を有する。表示装置５は、例えば液晶又は有機ＥＬ（Electro  Luminescence）を用いて構成される。
【００３１】
図２は、図１に示す生検針６の概略構成を説明する模式図である。また、図３は、生検針６の先端部近傍を示す一部断面図である。図３においては、収容部６４のみを断面で示している。
【００３２】
生検針６は、略円柱状をなす基部６１ａ、及び基部６１ａの端部に設けられ、基部６１ａの長手方向と直交する方向に貫通する開口が形成された把持部６１ｂを有する把持部材６１と、先端が針状に形成された機能部である針（第２の管）６２と、把持部材６１と針６２とを連結し、屈曲自在な管状をなす針管（第１の管）６３と、基部６１ａ及び針管６３を進退自在に収容可能な略筒状をなす収容部６４と、収容部６４の基部６１ａを収容する側と異なる側の端部に設けられ、可撓性を有する管状の可撓針管６５と、を備える。可撓針管６５には、端面同士が接合された針６２及び針管６３が挿通されている。内視鏡２においては、この可撓針管６５が処置具挿入部２２２から挿入され、先端部２４から可撓針管６５の先端が表出可能に配設される。
【００３３】
針６２は、ニッケルチタン（ＮｉＴｉ）合金に代表される超弾性合金からなる管状部材を用いて形成されている。針６２の各部の寸法は特に限定されないが、一例として、外径が０．５〜１．３ｍｍ程度、内径が０．３〜１．２ｍｍ程度である。また、針６２の先端部６２ａは、生体組織の穿刺が可能な針状をなしている。このような針６２は、把持部材６１の収容部６４に対する往復動に応じて、可撓針管６５の先端から外部に表出可能に設けられている。
【００３４】
針管６３は、ＳＵＳ等のステンレス鋼からなり、外径及び内径が針６２の外径及び内径と同じ管状部材を用いて形成されている。図３に示すように、針管６３は、ＳＵＳ等のステンレス鋼からなるスリーブ状の連結部材６６を用いて、ろう接（例えば、はんだ付け）により針６２の端部と接合されている。
【００３５】
収容部６４は、段付き形状をなす中空空間を形成する。収容部６４の中空空間は、一端側が基部６１ａを挿通可能な径を有し、他端側が針６２及び針管６３を挿通可能な径を有している。
【００３６】
図４は、本実施の形態に係る接合構造を示す断面図であり、針６２と針管６３とが連結部材６６を用いて接合されている状態を示している。また、図５は、連結部材６６の外観を示す斜視図である。
【００３７】
連結部材６６は、針６２及び針管６３が挿通可能な通路６６ａが内部に設けられた筒状をなしている。連結部材６６の外径は、可撓針管６５の内部に挿通可能であれば特に限定されない。また、連結部材６６の内径は、連結部材６６の内周面と針６２及び針管６３の外周面とのクリアランスが例えば０．０２〜０．２ｍｍ程度となるように設定される。
【００３８】
連結部材６６の側面には、連結部材６６の外部から通路６６ａまで貫通する開口（以下、貫通孔６６ｂという）が設けられている。本実施の形態において、貫通孔６６ｂは、筒状をなす連結部材６６の高さ方向（中心軸Ｒ方向）の中心からずれた位置に設けられている。好ましくは、貫通孔６６ｂの中心Ｃを、連結部材６６の高さ方向の中心から一端に向けて、連結部材６６の長さＬの１／４程度ずらして配置すると良い。
【００３９】
貫通孔６６ｂの径は、後述するように、溶融したろう材を通路６６ａ内まで注入することができれば、特に限定されない。
【００４０】
針６２及び針管６３は、連結部材６６の通路６６ａ内において互いの端面を当接させた状態で、ろう材（例えば、はんだ）６７によって連結部材６６と接合されている。本実施の形態において、針６２及び針管６３は、連結部材６６の中心軸Ｒ方向の略中央において当接している。そのため、針６２と針管６３との当接位置（当接面６３ａの位置）は、針６２及び針管６３が伸びる方向に沿って、連結部材６６に設けられた貫通孔６６ｂよりも針６２側に位置することになる。これにより、貫通孔６６ｂは針管６３の外周面と対向することになる。
【００４１】
ろう材６７は、加熱により溶融された状態で貫通孔６６ｂから通路６６ａ内に注入され、通路６６ａ及び貫通孔６６ｂに充填されて、針６２、針管６３、及び連結部材６６を接合する。また、連結部材６６の両端には、通路６６ａ内を濡れ拡がり連結部材６６の両端に達したろう材６７により、フィレット６７ａが形成されている。なお、ろう材６７の種類は、針６２、針管６３、及び連結部材６６を互いに接合可能であれば特に限定されない。一例として、ニッケルチタン合金からなる針６２とステンレス鋼からなる針管６３、連結部材６６とを接合する場合には、Ｓｎ−Ａｇ−Ｃｕ半田、Ｓｎ−Ａｇ半田等を用いると良い。
【００４２】
次に、本実施の形態に係る接合方法について説明する。図６は、本実施の形態に係る接合方法を説明するための断面図である。
まず、図６に示すように、連結部材６６の通路６６ａに針６２及び針管６３を挿入し、両者の端面同士を当接させる。この際、貫通孔６６ｂが位置する側に針管６３を配置し、針６２と針管６３とが貫通孔６６ｂよりも針６２側で当接するように、当接位置を調整する。本実施の形態においては、貫通孔６６ｂが連結部材６６のセンターから一端側にずれているので、当接面６３ａを連結部材６６の概ね中央に配置すれば良い。
【００４３】
続いて、ろう材６７を加熱して溶融させ、貫通孔６６ｂから通路６６ａに注入して、針６２及び針管６３と連結部材６６との隙間に充填する。この際、フラックスを適宜供給しても良い。そして、連結部材６６の両端にフィレット６７ａ（図４参照）が形成され、ろう材６７が固化したことが確認されれば、接合が完了する。
【００４４】
次に、本実施の形態において、針６２と針管６３とを、ろう材６７を注入する貫通孔６６ｂよりも針６２側で当接させる理由を説明する。図７は、該理由を説明するための参考図である。
【００４５】
図７に示すように、連結部材９０の側面に設けられた貫通孔９０ａが開口する範囲において、針６２と針管６３とをろう接する場合、ろう材６７を溶融して貫通孔９０ａから注入する際に針６２も加熱されてしまう。ここで、針６２を形成するニッケルチタン合金は比較的酸化し易い合金であるため、ろう接の際の加熱により針６２の表面が酸化されてしまう。その結果、ろう材６７の濡れ性が低下し、ろう材６７と針６２との間において十分な接合強度が得られなくなってしまう。
【００４６】
それに対し、本実施の形態においては、図４に示すように、貫通孔６６ｂが開口する範囲にステンレス鋼からなる針管６３を配置している。このため、ろう材６７を溶融して貫通孔６６ｂから注入する際、針６２が加熱され難くなるので、針６２の酸化を抑制することができる。それにより、針６２の表面に対するろう材６７の良好な濡れ性を確保し、針６２とろう材６７とを強固に接合することが可能となる。一方、ステンレス鋼は比較的酸化し難い合金であるため、貫通孔６６ｂからろう材６７を注入する際に針管６３が加熱されたとしても、針管６３の表面の酸化を招くことはなく、針管６３とろう材６７との接合強度を充分に確保することができる。
【００４７】
また、生検針６の使用や梱包に際して針管６３が湾曲された場合、針６２と針管６３との当接面６３ａに曲げ応力が加わることがある。このような場合において、図７に示すように、貫通孔９０ａが開口する範囲に針６２と針管６３との当接面６３ａが位置していると、当接面６３ａとろう材６７の界面との交点に応力集中が発生してしまう。その結果、この交点を起点としてろう材６７の破断が生じ、針６２と針管６３との間の気密性が低下するおそれがある。
【００４８】
それに対し、図４に示すように、針６２と針管６３との当接面６３ａが貫通孔６６ｂからずれている場合、当接面６３ａとろう材６７の界面との交点における応力集中を回避することができる。その結果、針６２と針管６３との接合強度を安定的に確保し、両者間における気密性を維持することができる。
【００４９】
以上説明したように、本実施の形態によれば、針６２と針管６３とを強固に接合することができると共に、その接合強度を安定的に維持することができる。従って、針管６２と針管６３との間の気密性を確保し、生検針６の品質を保持することが可能となる。
【００５０】
（変形例１）
次に、本発明の実施の形態の変形例１について説明する。図８及び図９は、本変形例１における連結部材の外観を示す斜視図である。溶融したろう材を連結部材の通路に注入するための貫通孔の開口端は、円形状以外にも種々の形状とすることができる。例えば、図８に示す連結部材７１のように、貫通孔７１ａの開口端を長穴形状としても良いし、図９に示す連結部材７２のように、貫通孔７２ａの開口端を矩形状としても良い。この他、貫通孔の開口端を楕円形状や六角形等の多角形状としても良い。例えば、針６２及び針管６３と連結部材との隙間において、ろう材の回り込みが悪い場合には、開口端をこのような長穴や矩形形状にすることで、適切にろう材を充填することができる。
【００５１】
（変形例２）
次に、本発明の実施の形態の変形例２について説明する。図１０は、本変形例２における連結部材の外観を示す斜視図である。連結部材に対し、溶融したろう材を該連結部材の通路に注入する貫通孔を複数設けても良い。例えば図１０は、開口端が円形状をなす貫通孔７３ａを、筒状をなす連結部材７３の高さ方向（中心軸方向）と直交する同一の面の円周上に複数設けた例を示している。
【００５２】
ここで、貫通孔を１つのみ設ける場合、該貫通孔に注入したろう材が針６２及び針管６３（図４参照）の背面に回り込み難くなることがある。そこで、貫通孔７３ａを複数設け、各貫通孔７３ａからろう材を注入することにより、針６２及び針管６３の外周面の周方向にろう材を十分に回り込ませることができ、安定した接合品質を得ることができる。
【００５３】
（変形例３）
次に、本発明の実施の形態の変形例３について説明する。図１１は、本変形例３における連結部材の外観を示す斜視図である。図１１に示すように、溶融したろう材を連結部材７４内に注入する開口として、貫通孔（例えば図５に示す貫通孔６６ｂ）の代わりに、切り欠き部７４ａを設けても良い。切り欠き部７４ａは、ステンレス鋼等からなる筒状部材の側面の一部を切り欠くことにより形成されている。
【００５４】
この場合、筒状をなす連結部材７４の高さ方向（中心軸方向）における開口幅は貫通孔６６ｂと同程度に維持しつつ、連結部材７４の周方向における開口幅を広げて、開口面積を大きくすることができる。それにより、連結部材７４内へのろう材の注入が容易になると共に、該連結部材７４に挿入された針６２及び針管６３の外周面にろう材を十分に回り込ませることができる。従って、針６２の加熱が抑制された状態で、さらに、ろう材の注入回数を減らす、或いは注入時間を短縮することができるので、針６２、針管６３、及び連結部材７４をろう材によってより確実に接合することが可能となる。
【００５５】
なお、図１１においては、切り欠き部７４ａの端部を矩形状としてるが、端部の形状は特に限定されず、例えば円弧のように湾曲した形状としても良い。
【００５６】
以上説明した実施の形態及び変形例１〜３においては、ニッケルチタン合金からなる針６２とステンレス鋼からなる針管６３とを接合する場合を説明したが、接合される一方の金属又は合金に対して他方の金属又は合金の酸化し易さが異なる材料の組み合わせであれば、本発明を適用することができる。
【００５７】
以上説明した本発明は、実施の形態及び変形例１〜３に限定されるものではなく、仕様等に応じて種々変形することが可能である。例えば、上記実施の形態及び変形例１〜３に示される全構成要素からいくつかの構成要素を除外して形成しても良い。本発明の範囲内において、他の様々な実施の形態が可能であることは、上記記載から自明である。
【符号の説明】
【００５８】
１  内視鏡システム
２  内視鏡
３  制御装置
４  光源装置
５  表示装置
６  生検針
２１  挿入部
２２操作部
２３  ユニバーサルコード
２４、６２ａ  先端部
２５  湾曲部
２６、６５  可撓針管
２７  コネクタ部
２８  電気コネクタ部
６１  把持部材
６１ａ  基部
６１ｂ  把持部
６２  針
６３  針管
６３ａ  当接面
６４  収容部
６６、７１、７２、７３、７４、９０  連結部材
６６ａ  通路
６６ｂ、７１ａ、７２ａ、７３ａ、９０ａ  貫通孔
６７  ろう材
６７ａ  フィレット
７４ａ  切り欠き部
２２１  湾曲ノブ
２２２  処置具挿入部
２２３  スイッチ
２７０  コイルケーブル
【図１】
2015228987.tif 000003
【図２】
2015228987.tif 000004
【図３】
2015228987.tif 000005
【図４】
2015228987.tif 000006
【図５】
2015228987.tif 000007
【図６】
2015228987.tif 000008
【図７】
2015228987.tif 000009
【図８】
2015228987.tif 000010
【図９】
2015228987.tif 000011
【図１０】
2015228987.tif 000012
【図１１】
2015228987.tif 000013